【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
クライアントデバイス上のクライアントアプリケーションを使用してユーザが取引を開始したことを示す標識を含むエンゲージメント要求を、ネットワークアプリケーションの１以上のサーバにおいて前記クライアントデバイスから受信する、エンゲージメント要求受信ステップと、
前記１以上のサーバが、前記エンゲージメント要求に応答して、前記ネットワークアプリケーションにおいて維持されている個人情報を提供することが、前記クライアントデバイス上の前記クライアントアプリケーションを使用して前記ユーザが前記取引を完了する確率を高くするか否かを判定する、判定ステップと、
前記ネットワークアプリケーションから前記個人情報を提供することが、前記クライアントデバイス上の前記クライアントアプリケーションを使用して前記ユーザが前記取引を完了する前記確率を高くするという判定に基づいて、前記ネットワークアプリケーションの前記１以上のサーバによって維持されている前記個人情報を使用して前記取引を完了するためのユーザ選択可能なオプションを、前記クライアントアプリケーションのユーザインターフェースに動的に表示するステップと、
前記ネットワークアプリケーションから前記個人情報を提供することが、前記クライアントデバイス上の前記クライアントアプリケーションを使用して前記ユーザが前記取引を完了する前記確率を高くしないという判定に基づいて、前記ネットワークアプリケーションの前記１以上のサーバによって維持されている前記個人情報を使用して前記取引を完了するためのユーザ選択可能なオプションを、前記クライアントアプリケーションのユーザインターフェースに表示することを動的に控えるステップと、を備える、方法。
【請求項２】
選択可能なオプションの使用に関連する前記ユーザに関する１以上の因子を決定するステップであって、前記１以上の因子は、前記ユーザが前記ネットワークアプリケーションのアカウントを有するか否か、前記ユーザが前記ネットワークアプリケーションに現在ログインしているか否か、前記ユーザにとって個人情報が利用可能か否か、前記選択可能なオプションが過去の取引について提示されたときの前記ユーザに関する転換率、および前記ネットワークアプリケーションにおける前記ユーザのアクティビティ履歴のうちの１以上からなる、ステップを、さらに備え、
前記判定ステップは、前記選択可能なオプションの使用に関連するユーザに関する決定された前記１以上の因子に基づく、請求項１に記載の方法。
【請求項３】
前記判定ステップは、前記ネットワークアプリケーションの前記１以上のサーバにおいて前記ユーザについての個人情報が利用可能かを判定する、個人情報判定ステップを含む、請求項１に記載の方法。
【請求項４】
前記個人情報判定ステップは、前記ネットワークアプリケーションの前記１以上のサーバにおいて前記ユーザについての支払カードが記録されているかを判定するステップを含む、請求項３に記載の方法。
【請求項５】
個人情報を前記ネットワークアプリケーションから提供することが、前記クライアントデバイスの前記クライアントアプリケーションを使用して前記ユーザが前記取引を完了する確率を高くするという前記判定に基づいて、前記ユーザが前記ネットワークアプリケーションに現在ログインしている場合に限り、前記ネットワークアプリケーションの前記１以上のサーバによって維持されている個人情報を使用して完了するための前記ユーザ選択可能なオプションを提供するステップをさらに備える、請求項１に記載の方法。
【請求項６】
前記ネットワークアプリケーションは、ソーシャルネットワーキングアプリケーションを含む、請求項５に記載の方法。
【請求項７】
予測転換率を決定する工程をさらに備え、前記判定ステップは、前記予測転換率が前記クライアントアプリケーションの平均転換率よりも高いか否かを判定するステップを含む、請求項１に記載の方法。
【請求項８】
前記予測転換率は、前記ユーザに固有のデータに基づく、請求項７に記載の方法。
【請求項９】
前記予測転換率は、前記ネットワークアプリケーションによって提供された前記個人情報を使用して取引を完了するための前記ユーザ選択可能なオプションを提示されたとき、前記ユーザが任意のクライアントアプリケーションを使用して取引を完了した回数の割合に基づく、請求項８に記載の方法。
【請求項１０】
前記予測転換率は、前記ネットワークアプリケーションによって提供された前記個人情報を使用するための前記ユーザ選択可能なオプションを提示されたとき、前記ユーザと共通する年齢、性別、または、その他の人口統計を有するユーザが取引を完了した回数の割合に基づく、請求項８に記載の方法。
【請求項１１】
前記ユーザに関連付けられているリスクデータに基づいて、リスクスコアを計算するステップと、
前記判定ステップにおいて前記リスクスコアを使用するステップ、または、
前記クライアントデバイス上の前記クライアントアプリケーションに前記リスクスコアを送信するステップとをさらに備える、請求項１に記載の方法。
【請求項１２】
前記ユーザに対応する情報を追跡する、情報追跡ステップと、
前記判定ステップにおいて追跡された前記情報を使用するステップとをさらに備える、請求項１に記載の方法。
【請求項１３】
前記情報追跡ステップは、前記ユーザの人口統計情報、前記ユーザによる過去の購入、前記ユーザのユーザ関心、およびアプリケーションにおける前記ユーザのアクティビティのうちの少なくとも１つを追跡するステップを含む、請求項１２に記載の方法。
【請求項１４】
ネットワークアプリケーションを実行する１以上のサーバコンピューティングデバイス
と、
命令を含む非一時的記憶媒体と、を備えるシステムであって、
前記命令が前記１以上のサーバコンピューティングデバイスによって実行されるとき、前記システムに、
クライアントデバイス上のクライアントアプリケーションを使用してユーザが取引を開始したことを示す標識を含むエンゲージメント要求を、前記クライアントデバイスから受信する、エンゲージメント要求受信ステップと、
前記エンゲージメント要求に応答して、前記ネットワークアプリケーションにおいて維持されている個人情報を提供することが、前記クライアントデバイス上の前記クライアントアプリケーションを使用して前記ユーザが前記取引を完了する確率を高くするか否かを判定する、判定ステップと、
前記ネットワークアプリケーションから前記個人情報を提供することが、前記クライアントデバイス上の前記クライアントアプリケーションを使用して前記ユーザが前記取引を完了する前記確率を高くするという判定に基づいて、前記ネットワークアプリケーションの前記１以上のサーバによって維持されている前記個人情報を使用して前記取引を完了するためのユーザ選択可能なオプションを、前記クライアントアプリケーションのユーザインターフェースに動的に表示するステップと、
前記ネットワークアプリケーションから前記個人情報を提供することが、前記クライアントデバイス上の前記クライアントアプリケーションを使用して前記ユーザが前記取引を完了する前記確率を高くしないという判定に基づいて、前記ネットワークアプリケーションの前記１以上のサーバコンピューティングデバイスによって維持されている前記個人情報を使用して前記取引を完了するためのユーザ選択可能なオプションを、前記クライアントアプリケーションのユーザインターフェースに表示することを動的に控えるステップと、を行わせる、システム。
【請求項１５】
前記１以上のサーバコンピューティングデバイスによって実行されるとき、前記システムに、
前記ユーザに対応する情報を追跡する、情報追跡ステップと、
前記判定ステップにおいて追跡された前記情報を使用するステップと、を行わせる命令をさらに含む、請求項１４に記載のシステム。
【請求項１６】
前記ユーザに対応する追跡された前記情報は、前記ユーザの人口統計情報、前記ユーザによる過去の購入、および商取引アプリケーションにおける前記ユーザのアクティビティのうちの少なくとも１つを含む、請求項１５に記載のシステム。
【請求項１７】
前記１以上のサーバコンピューティングデバイスによって実行されるとき、前記システムに、
前記個人情報を前記ネットワークアプリケーションから提供することが、前記クライアントデバイス上の前記クライアントアプリケーションを使用して前記ユーザが前記取引を完了する前記確率を高くするという前記判定に基づいて、前記ユーザが所定のネットワークアプリケーションに現在ログインしている場合に限り、前記個人情報を使用して前記取引を完了するための前記ユーザ選択可能なオプションを提供するステップを行わせる命令をさらに含む、請求項１４に記載のシステム。
【請求項１８】
前記所定のネットワークアプリケーションは、ソーシャルネットワーキングアプリケーションを含む、請求項１７に記載のシステム。
【請求項１９】
前記命令は、前記１以上のサーバコンピューティングデバイスによって実行されるとき、前記システムに、
前記ユーザに関する予測転換率を決定するステップと、
前記ユーザに関する前記予測転換率が前記クライアントアプリケーションの平均転換率よりも高いが否かを判定するステップと、
によって、前記判定ステップを行わせる、請求項１４に記載のシステム。
【請求項２０】
前記予測転換率は、
任意の商取引アプリケーションを使用して取引を完了するための前記選択可能なオプションを提示されたとき、前記ユーザが取引を完了した回数の割合、
前記ネットワークアプリケーションによって維持されている個人情報を使用して前記取引を完了するための前記オプションを提示されたとき、任意の商取引アプリケーションを使用する前記ネットワークアプリケーションの前記ユーザが取引を完了した回数の割合、および、
前記ネットワークアプリケーションによって維持されている個人情報を使用して前記取引を完了するための前記選択可能なオプションを提示されたとき、類似する量の個人情報を有する前記ユーザが取引を完了した回数の割合、
の少なくとも１つに基づく、請求項１９に記載のシステム。